(57)【要約】【課題】ドライバー等によるこじ入れによる暴力的な不正解錠から的確に防護された平面ハンドル装置を提供する。【解決手段】ハンドル２の先端部７の正面側部分を延長して、先端部７の端面７ａと正面凹部３の内側面３ａとの間の隙間を隠蔽するノーズ８を形成し、ハンドル２の没入回転時にノーズ８が収容されるノーズ受入れ部９を形成する。ノーズ８の背面側にハンドル２の長さ方向に沿って第１凹凸部１０を形成し、ノーズ受入れ部９の正面側に第１凹凸部１０と噛み合う第２凹凸部１１を形成する。【選択図】    図３
2004156225.tif 000002
【特許請求の範囲】
【請求項１】
ハンドル２の使用時にハンドル２が基端部４の横断枢軸５を中心に回転してケース１の正面凹部３から突出し、ハンドル２の不使用時にハンドル２が正面凹部３内に没入し、ハンドル２がロック機構６によってケース１に錠止される平面ハンドル装置において、
ハンドル２の先端部７の正面側部分を延長して、先端部７の端面７ａと正面凹部３の内側面３ａとの間の隙間を隠蔽するノーズ８を形成し、ハンドル２の没入回転時にノーズ８が収容されるノーズ受入れ部９を形成したことを特徴とする平面ハンドル装置。
【請求項２】
ノーズ８の背面側にハンドル２の長さ方向に沿って第１凹凸部１０を形成し、ノーズ受入れ部９の正面側に第１凹凸部１０と噛み合う第２凹凸部１１を形成したことを特徴とする平面ハンドル装置。
【請求項３】
第１凹凸部１０及び第２凹凸部１１のピッチ寸法をドライバーの先端幅寸法よりも小さく設定したことを特徴とする請求項２に記載の平面ハンドル装置。
【発明の詳細な説明】
【０００１】
【発明の属する技術分野】本発明は、ハンドルの不使用時にはハンドルの全体または主要部分がケースの正面凹部内に没入される平面ハンドル装置に関する。
【０００２】
【従来の技術】ハンドルの使用時にハンドルが基端部の横断枢軸を中心に回転してケースの正面凹部から突出する一方、ハンドルの不使用時にハンドルがケースの正面凹部内に没入し、ケース側に装備したロック機構によって没入位置に錠止される平面ハンドル装置は、既に知られている（例えば、特許文献１）。
【０００３】
最近、この平面ハンドル装置について、ロック機構を無力化してハンドルを使用位置に突出させる不正解錠の事例が報告されている。
その犯行手口は、ハンドルの先端部の端面とケースの正面凹部の内側面との間の隙間にドライバーの先端を差し込み、ドライバーをケース正面に対して少し寝かせながら、ドライバーの先端をハンドルの先端部の背面側にこじ入れ、梃子の原理でドライバーを押し下げることによって、ハンドルを強引に押し出し、ロック機構のラッチ体と係合しているハンドルの掛止め部を暴力的に破断するものである。
【０００４】
このような犯行を阻止するには、ドライバーの先端が差し込めないように前記隙間を無くすか極限まで減少させればよいのであるが、その場合には部品の製作や組立に当たって厳密な寸法管理が必要となる。この寸法管理に失敗したときには、ハンドルがケースの正面凹部に没入し得ないか、没入し得たとしても没入動作が円滑に行われないことになった。
【０００５】
【特許文献１】平成８年実用新案公告第８２１２号公報
【０００６】
【発明が解決しようとする課題】本発明の目的は、前記したドライバー等のこじ入れによる暴力的な不正解錠から的確に防護される平面ハンドル装置を提供することである。
【０００７】
【課題を解決するための手段】以下、添付図面中の参照符号を用いて説明すると、請求項１の発明の要旨は、ハンドル２の使用時にハンドル２が基端部４の横断枢軸５を中心に回転してケース１の正面凹部３から突出し、ハンドル２の不使用時にハンドル２が正面凹部３内に没入し、ハンドル２がロック機構６によってケース１に錠止される平面ハンドル装置において、
ハンドル２の先端部７の正面側部分を延長して、先端部７の端面７ａと正面凹部３の内側面３ａとの間の隙間を隠蔽するノーズ８を形成し、ハンドル２の没入回転時にノーズ８が収容されるノーズ受入れ部９を形成したことである。
【０００８】
この平面ハンドル装置では、ハンドル２の先端部７の端面７ａとケース１の正面凹部３の内側面３ａとの間の隙間は、ノーズ８の背後に隠蔽されているので、該隙間からドライバーをハンドル２の背面側にこじ入れることができない。そのため、ロック機構６と係合するハンドル２の掛止め部は、暴力的な破断から的確に防護される。
【０００９】
請求項２の発明では、請求項１の発明の前記構成に加えて、ノーズ８の背面側にハンドル２の長さ方向に沿って第１凹凸部１０を形成し、ノーズ受入れ部９の正面側に第１凹凸部１０と噛み合う第２凹凸部１１を形成してある。
【００１０】
この平面ハンドル装置では、ノーズ８の先端面８ａとノーズ受入れ部９の内側面９ａとの間の隙間からドライバーの先端を差し入れて、ドライバーの先端をノーズ受入れ部の正面に沿って滑らそうとしても、ノーズ受入れ部９の正面から立ち上がっている第２凹凸部１１の凸部がドライバー先端の移動に対して障害物となるため、ドライバーをどのような角度に寝かせて見ても、ドライバーの先端をノーズ８の背面側に入り込ませることができず、ノーズ８を破断することができない。そのため、ノーズ８による前記防護機能が維持される。
【００１１】
請求項３の発明では、請求項２の発明の前記構成に加えて、第１凹凸部１０及び第２凹凸部１１のピッチ寸法をドライバーの先端幅寸法よりも小さく設定してある。
【００１２】
この平面ハンドル装置では、ノーズ８の先端面８ａとノーズ受入れ部９の内側面９ａとの間の隙間からドライバーの先端を差し入れた後、ドライバーの先端をノーズ受入れ部９の正面に沿って滑らす代わりに、第１凹凸部１０と第２凹凸部１１の噛み合わせ遊隙から差し入れようとしても、第１凹凸部１０と第２凹凸部１１のピッチ寸法がドライバーの先端幅寸法よりも狭小になっているため、ドライバー先端の差し込み移動が阻止される。
仮にドライバーの先端幅よりも細い金属帯板材を第１凹凸部１０と第２凹凸部１１の噛み合わせ遊隙から差し入れできたとしても、梃子の原理でハンドル２を押し上げるとき、その金属帯板材は折れてしまうか曲がったりしてしまい、不正解錠することができない。
【００１３】
【発明の実施の形態】図示の実施例では、平面ハンドル装置は引出し回転操作型のものであり、扉１２に固着されるケース１と、ケース１の前後方向に配置してケース１に収容され、後端部に固定枠体側の受金部と係脱する止め金板１３を固着する施錠軸１４と、ケース１の正面凹部３に出没可能に収容され、基端部４を横断枢軸５によって施錠軸１４の前端部に枢着されたハンドル２と、ケース１に一体的に埋め込み固着され、ハンドル２の先端部背面側の掛止め部１５と係脱するラッチ体１６を備えたロック機構６と、ハンドル２とケース１の間に装着され、ハンドル２を突出方向に回転付勢するハンドルバネ（図示は省略）とから成る。
【００１４】
ロック機構６は通常のシリンダー錠によって構成されており、ロータ１７の後端部の偏心カム突起１８はラッチ体１６のカム溝孔１９に挿入されている。所定の鍵２０をロータ１７の鍵孔２１に挿入してロータ１７を回すと、ラッチ体１６はロック機構６のハウジング２２側に牽引され、ラッチ体１６のフック部２３がハンドル２の掛止め部１５から離脱する。これによってハンドル２は前記バネの付勢によってケース１の正面凹部３から突出回転する。
【００１５】
ハンドル２の突出回転後、ラッチ体１６は復帰用バネ２４の付勢によってロックハウジング２２のガイド溝２５から突出し、前記フック部２３が正面凹部３内に位置する。ハンドル２を握って施錠軸１４を所定方向に回すと、止め金板１３が固定枠体側の受金部（図示していない）から離脱し、固定枠体に対する扉１２の錠止が解除される。扉１２はハンドル２を手前に引くことによって開放される。
【００１６】
扉１２を閉鎖し、ハンドル２とケース１の正面凹部３を整列させてから、ハンドル２を正面凹部３に向けて没入回転させたとき、掛止め部１５の背面部１５ａがフック部２３のカム斜面部２３ａに当たり、ラッチ体１６が一旦、ロックハウジング２２側に後退する。この後、ハンドル２が所定深さまで没入すると、ラッチ体１６が再び突出し、掛止め部１５とフック部２３が係合する。これによってハンドル２は不使用時にはケース１側に錠止される。
【００１７】
ノーズ受入れ部９は、ケース１と一体的に固定されたロックハウジング２２の正面部に形成されている。ロック機構６が正面凹部３から間隔を置いてケース１に埋め込み固着されているときには、ノーズ受入れ部９は正面凹部３とロックハウジング２２との間のケース隔壁部の正面部に形成される。
【００１８】
本発明が適用される平面ハンドル装置としては、前記実施例に示したものの他、ハンドルの基端部を横断方向の枢軸でケースに枢着し、止め金板をケースの背面に前後方向の枢軸ビスで枢着し、ハンドル基端部の背面に突設した作動突子を止め金板中央部の受動孔に挿入し、該作動突子で受動孔の孔縁部を押すようにしたものもある。
【００１９】
【発明の効果】請求項１の発明の平面ハンドル装置では、ハンドル２の先端部７の正面側部分を延長して形成されたノーズ８が、ハンドル２の先端部７の端面７ａと正面凹部３の内側面３ａとの間の隙間を隠蔽するため、ドライバーのこじ入れによる暴力的な不正解錠から的確に防護される。
【００２０】
請求項２の発明の平面ハンドル装置では、前記ノーズ８の背面側にハンドル２の長さ方向に沿って第１凹凸部１０を形成し、前記ノーズ受入れ部９の正面側に第１凹凸部１０と噛み合う第２凹凸部１１を形成してあるため、ドライバーのこじ入れによる暴力的な不正解錠から更に的確に防護される。
【００２１】
請求項３の発明の平面ハンドル装置では、前記した第１凹凸部１０及び第２凹凸部１１のピッチ寸法をドライバーの先端幅寸法よりも小さく設定してあるため、ドライバーの先端幅より狭小な金属帯板材を差し入れてもハンドル２を押し上げることができず、不正解錠から的確に防護される。
【図面の簡単な説明】
【図１】本発明の一実施例に係る平面ハンドル装置のハンドル没入時の正面図である。
【図２】図１の平面ハンドル装置の右側面図である。
【図３】図１のＡ−Ａ線断面図である。
【図４】図１のＢ−Ｂ線断面図である。
【図５】図１の平面ハンドル装置に一体的に組み込んだロック機構のハウジングの正面図である。
【図６】図１のロックハウジングの右側面図である。
【図７】図１のロックハウジングの平面図である。
【図８】図５のＣ−Ｃ線断面図である。
【図９】図１の平面ハンドル装置に組み込んだハンドルの背面図である。
【図１０】図９のハンドルの底面図である。
【図１１】図１０のハンドルの一部縦断右側面図である。
【図１２】図１の平面ハンドル装置のハンドル突出時の正面図である。
【符号の説明】
１  ケース
２  ハンドル
３  正面凹部
４  ハンドルの基端部
５  横断枢軸
６  ロック機構
７  ハンドルの先端部
８  ノーズ
９  ノーズ受入れ部
１０  第１凹凸部
１１  第２凹凸部
【図１】
2004156225.tif 000003
【図２】
2004156225.tif 000004
【図３】
2004156225.tif 000005
【図４】
2004156225.tif 000006
【図５】
2004156225.tif 000007
【図６】
2004156225.tif 000008
【図７】
2004156225.tif 000009
【図８】
2004156225.tif 000010
【図９】
2004156225.tif 000011
【図１０】
2004156225.tif 000012
【図１１】
2004156225.tif 000013
【図１２】
2004156225.tif 000014